(57)【要約】【課題】開封したときに、開封予定線から、切断した開封線が外れることなく、開封線が表裏のフィルムで同一位置にならず、指で摘みやすく、口開きが容易にできる包装袋を提供する。【解決手段】重ね合わせた表フィルム１と裏フィルム２の周縁部をシールした包装袋であって、表フィルムと裏フィルムのそれぞれに、開封するための切断を誘導するための易切断線を、形の異なる表側易切断線７と裏側易切断線８とで設け、表側易切断線は、上に凸の表側易切断線７ａと、下に凸の表側易切断線７ｂとからなり、表側易切断線と裏側易切断線のそれぞれの左右の端部は、左右のサイドシール部３、４で交わり、表側易切断線７ａと、表側易切断線７ｂは、一部が、複数の小ハーフカット線が並んだ易切断線７ｃ、易切断線７ｅからなり、小ハーフカット線の形状は、表側易切断線７ａ、あるいは、表側易切断線７ｂを外れないように切断を誘導する形状である。【選択図】図１
2016094227.tif 000002
【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、前記表側易切断線は、上に凸の表側易切断線ａと、下に凸の表側易切断線ｂとからなり、前記表側易切断線と前記裏側易切断線のそれぞれの左右の端部は、左右のサイドシール部で交わり、前記表側易切断線ａと、前記表側易切断線ｂは、全体が、あるいは、一部が、繋ぎ部を介して並んだ複数の小ハーフカット線からなり、小ハーフカット線の形状は、前記表側易切断線ａ、あるいは、前記表側易切断線ｂを外れないように切断を誘導する形状であることを特徴とする包装袋。
【請求項２】
表側易切断線ａと前記表側易切断線ｂは、両端部側が前記小ハーフカット線でなり、中央部分が一本のハーフカット線からなっていることを特徴とする請求項１に記載の包装袋。
【請求項３】
両端側に設けた前記小ハーフカット線の中央寄りの最終形状が前記一本のハーフカット線に切断を誘導するように形成されていることを特徴とする請求項２に記載の包装袋。
【請求項４】
複数の前記小ハーフカット線がくの字形と逆くの字形を交互に組み合わせて並べた形状であることを特徴とする請求項１から３のいずれか１項に記載の包装袋。
【請求項５】
複数の前記小ハーフカット線がハの字形を横にして並べた形状であることを特徴とする請求項１から３のいずれか１項に記載の包装袋。
【請求項６】
前記サイドシール部の外端縁からの引き裂き開始部を易切断線の左右両端に設けたことを特徴とする請求項１から５のいずれか１項に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、このような包装袋は容易に開封できるが、内容物を取り出したりするために口を開こうとすると、包装袋の引き裂かれた開封線が、表裏のフィルムで同一位置にあるために、口を開くために、指で表裏のフィルムをそれぞれ摘もうとしても、重なり合った表裏フィルムの間に指を入れることが難しく、容易に口を開くことができなかった。
【０００４】
これを回避するために、表フィルムと裏フィルムに、異なる開封予定線を設けて、開封後の開封線が表裏のフィルムで同一位置にならないようにして、指で摘みやすく、口開きを容易にした包装袋があった。
【０００５】
例えば、開封予定線に沿って、略ハの字型をなすように傾斜した２つの対をなす切れ目を所要間隔の断続状に形成した切れ目線をハーフカットにより、包装袋の表フィルムと裏フィルムに波形に形成して、表フィルムと裏フィルムの波のピッチを相互に交差するようにするか、あるいは、片側のフィルムのみ波形の変形ミシン目状の切目線を設けて、他方のフィルムには、概略直線状の変形ミシン目状の切目線を形成し、開封後の表フィルムと裏フィルムの開封線が完全には重ならず、開口部の口開きを容易した包装袋があった（特許文献１）。
【０００６】
また、包装袋の表フィルムと裏フィルムのそれぞれ、表側開封予定線と裏側開封予定線をハーフカット線で、包装袋の左右両端より内方に向かって直線状に設け、表側開封予定線は直線の両端を結ぶ、上に凸の曲線を設け、裏側開封予定線は直線の両端を結ぶ、下に凸の曲線を設け、開封後、容易に摘んで開口することができるようにした包装袋があった（特許文献２）。
【０００７】
開口部に再封止手段を有し、再封止手段とトップシール部の間に、易開封手段を設け、易開封手段は、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線とからなり、表面ハーフカット線ａと表面ハーフカット線ｂとは、凸部が外側になるように裏面ハーフカット線を中心に上下対称に設けられ、これら２本の表面ハーフカット線は、いずれも左サイドシール部上の１点を始点とし、右サイドシール部上の１点を終点とすることを特徴とする包装袋があった（特許文献３）。
【０００８】
公知文献を以下に示す。
【先行技術文献】
【特許文献】
【０００９】
【特許文献１】特開２００１−２４００７４号公報
【特許文献２】特開２００５−２８９３９６号公報
【特許文献３】特開２０１４−５１３１０号公報
【発明の概要】
【発明が解決しようとする課題】
【００１０】
前述のこれらの包装袋は、表フィルムと裏フィルムに、異なる開封予定線を設けて、開封後の開封線が表裏のフィルムで同一位置にならないようにして、指で摘みやすく、口を開くのが容易になったが、引裂いた開封線が、ハーフカット線などの開封予定線から外れてしまったりする恐れがあった。
【００１１】
本発明は上記のような事情に鑑みてなされたもので、開封したときに、開封予定線から、切断した開封線が外れることなく、開封線が表裏のフィルムで同一位置にならず、指で摘みやすく、口開きが容易にできる包装袋を提供することを課題とする。
【課題を解決するための手段】
【００１２】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、前記表側易切断線は、上に凸の表側易切断線ａと、下に凸の表側易切断線ｂとからなり、前記表側易切断線と前記裏側易切断線のそれぞれの左右の端部は、左右のサイドシール部で交わり、前記表側易切断線ａと、前記表側易切断線ｂは、全体が、あるいは、一部が、繋ぎ部を介して並んだ複数の小ハーフカット線からなり、小ハーフカット線の形状は、前記表側易切断線ａ、あるいは、前記表側易切断線ｂを外れないように切断を誘導する形状であることを特徴とする包装袋である。
【００１３】
本発明の請求項２の発明は、前記表側易切断線ａと前記表側易切断線ｂは、両端部側が前記小ハーフカット線でなり、中央部分が一本のハーフカット線からなっていることを特徴とする請求項１に記載の包装袋である。
【００１４】
本発明の請求項３の発明は、両端側に設けた前記小ハーフカット線の中央寄りの最終形状が前記一本のハーフカット線に切断を誘導するように形成されていることを特徴とする請求項２に記載の包装袋である。
【００１５】
本発明の請求項４の発明は、複数の前記小ハーフカット線がくの字形と逆くの字形を交互に組み合わせて並べた形状であることを特徴とする請求項１から３のいずれか１項に記載の包装袋である。
【００１６】
本発明の請求項５の発明は、複数の前記小ハーフカット線がハの字形を横にして並べた形状であることを特徴とする請求項１から３のいずれか１項に記載の包装袋である。
【００１７】
本発明の請求項６の発明は、前記サイドシール部の外端縁からの引き裂き開始部を易切断線の左右両端に設けたことを特徴とする請求項１から５のいずれか１項に記載の包装袋である。
【発明の効果】
【００１８】
本発明の包装袋は、開封したときに、易切断線の開封予定線から、切断した開封線が外れることなく、開封線が表裏のフィルムで同一位置にならず、指で摘みやすく、口開きが容易にできる。
【図面の簡単な説明】
【００１９】
【図１】本発明の包装袋の第１の実施形態を模式的に正面で示した説明図である。
【図２】本発明の包装袋の第２の実施形態を模式的に正面で示した説明図である。
【図３】本発明の包装袋の第３の実施形態を模式的に正面で示した説明図である。
【図４】本発明の包装袋の第４の実施形態を模式的に正面で示した説明図である。
【図５】本発明の包装袋の第５の実施形態を模式的に正面で示した説明図である。
【図６】本発明の包装袋の第６の実施形態を模式的に正面で示した説明図である。
【図７】本発明の包装袋に用いる積層体の一例を模式的に断面で示した説明図である。
【発明を実施するための形態】
【００２０】
＜第１の実施形態＞
以下、本発明を実施するための第１の実施形態につき説明する。
図１は、本発明の包装袋の第１の実施形態を模式的に正面で示した説明図である。
【００２１】
第１の実施形態の包装袋１００は、図１のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００２２】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、上に凸の表側易切断線７ａと、下に凸の表側易切断線７ｂとが形成されている。裏側易切断線８は直線のハーフカット線で設けられている。
【００２３】
表側易切断線７の表側易切断線７ａと表側易切断線７ｂ、および、裏側易切断線８のそれぞれの左右の端部は、左サイドシール部３、および、右サイドシール部４で交わっている。
【００２４】
表側易切断線７ａは、サイドシール部３、４にある両端部側では、くの字形の小ハーフカット線と逆くの字形の小ハーフカット線が交互に組み合わされて複数並んで易切断線７ｃを形成していて、引き裂いて破断するときに、表側易切断線７ａから外れないように、切断を誘導する形状になっている。
【００２５】
表側易切断線７ａのくの字形の小ハーフカット線と逆くの字形の小ハーフカット線を交互に組み合わせた易切断線７ｃでは、くの字形小ハーフカット線ではじめ外に向かった切断線が、折れ曲がったくの字形で内側に向かわせ、次の逆くの字で受けられ、逆くの字でも同様に、折れ曲がったくの字形で内側に向かわせ、この繰り返しにより、表側易切断線７ａから外れないようにしている。
【００２６】
表側易切断線７ａの中央部分には一本のハーフカット線からなる易切断線７ｄが設けられていて、更にその中央部分が直線状になっていて、両端部分は、易切断線７ｃからの切断を受けられるように曲線になっている。
【００２７】
表側易切断線７ｂは、同様に、サイドシール部３、４にある両端部側では、くの字形の小ハーフカット線と逆くの字形の小ハーフカット線が交互に組み合わされて複数並んで易切断線７ｅを形成していて、引き裂いて破断するときに、表側易切断線７ｂから外れないように、切断を誘導する形状になっている。
【００２８】
表側易切断線７ｂのくの字形の小ハーフカット線と逆くの字形の小ハーフカット線を交
互に組み合わせた易切断線７ｅでは、くの字形小ハーフカット線ではじめ外に向かった切断線が、折れ曲がったくの字形で内側に向かわせ、次の逆くの字で受けられ、逆くの字でも同様に、折れ曲がったくの字形で内側に向かわせ、この繰り返しにより、表側易切断線７ｂから外れないようにしている。
【００２９】
表側易切断線７ｂの中央部分は一本のハーフカット線からなる易切断線７ｆからなり、更にその中央部分が直線状になっていて、両端部分は、易切断線７ｃからの切断を受けられるように曲線になっている。
【００３０】
また、左サイドシール部３、および、右サイドシール部４の外端縁から引き裂き開始部９が易切断線７、８の左右両端に設けられている。引き裂き開始部９は本実施形態ではＶノッチで設けられている。
【００３１】
以上のように、本実施形態の包装袋１００は、開封したときに、開封予定線から、切断した開封線が外れることなく、開封線が表裏のフィルムで同一位置にならず、指で摘みやすく、口開きが容易にできる。
【００３２】
＜第２の実施形態＞
以下、本発明を実施するための第２の実施形態につき説明する。
図２は、本発明の包装袋の第２の実施形態を模式的に正面で示した説明図である。
【００３３】
第２の実施形態の包装袋２００は、図２のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００３４】
そして、天シール部５の近傍に開封するための切断を誘導する易切断線を設けてある。易切断線は、表フィルム１と裏フィルム２のそれぞれに、形の異なる表側易切断線１７と裏側易切断線１８とで設け、表側易切断線１７は、上に凸の表側易切断線１７ａと、下に凸の表側易切断線１７ｂとが形成されている。裏側易切断線１８は直線のハーフカット線で設けられている。
【００３５】
表側易切断線１７の表側易切断線１７ａと表側易切断線１７ｂ、および、裏側易切断線１８のそれぞれの左右の端部は、左サイドシール部３、および、右サイドシール部４で交わっている。
【００３６】
表側易切断線１７ａは、サイドシール部３、４にある両端部側では、ハの字形の小ハーフカット線が複数並んで易切断線１７ｃを形成していて、引き裂いて破断するときに、表側易切断線１７ａから外れないように、切断を誘導する形状になっている。
【００３７】
表側易切断線１７ａの複数のハの字形の小ハーフカット線からなる易切断線１７ｃでは、ハの字の下方から上方に向かった切断線は、次のハの字の開いた下方で受け止められ、上方に誘導され、これが繰り返されて、表側易切断線１７ａから外れないようにしている。
【００３８】
表側易切断線１７ａの中央部分は一本のハーフカット線からなる易切断線１７ｄが設けられていて、更にその中央部分が直線状になっていて、両端部分は、易切断線１７ｃからの切断を受けられるように曲線になっている。
【００３９】
表側易切断線７ａの中央部分には一本のハーフカット線からなる易切断線７ｄが設けら
れていて、更にその中央部分が直線状になっていて、両端部分は、易切断線７ｃからの切断を受けられるように曲線になっている。
【００４０】
表側易切断線１７ｂは、同様に、サイドシール部３、４にある両端部側では、ハの字形の小ハーフカット線が複数並んで易切断線１７ｅを形成していて、引き裂いて破断するときに、表側易切断線１７ｂから外れないように、切断を誘導する形状になっている。
【００４１】
表側易切断線１７ｂの複数のハの字形の小ハーフカット線からなる易切断線１７ｅでは、ハの字の下方から上方に向かった切断線は、次のハの字の開いた下方で受け止められ、上方に誘導され、これが繰り返されて、表側易切断線１７ｂから外れないようにしている。
【００４２】
表側易切断線１７ｂの中央部分は一本のハーフカット線からなる易切断線１７ｆからなり、更にその中央部分が直線状になっていて、両端部分は、易切断線１７ｅからの切断を受けられるように曲線になっている。
【００４３】
また、左サイドシール部３、および、右サイドシール部４の外端縁から引き裂き開始部９が易切断線７、８の左右両端に設けられている。引き裂き開始部９は本実施形態ではＶノッチで設けられている。
【００４４】
以上のように、本実施形態の包装袋２００は、開封したときに、開封予定線から、切断した開封線が外れることなく、開封線が表裏のフィルムで同一位置にならず、指で摘みやすく、口開きが容易にできる。
【００４５】
＜第３の実施形態＞
以下、本発明を実施するための第３の実施形態につき説明する。
図３は、本発明の包装袋の第３の実施形態を模式的に正面で示した説明図である。
【００４６】
第３の実施形態の包装袋３００は、図３のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００４７】
そして、天シール部５の近傍に開封するための切断を誘導する易切断線を設けてある。易切断線は、表フィルム１と裏フィルム２のそれぞれに、形の異なる表側易切断線２７と裏側易切断線２８とで設け、表側易切断線２７は、上に凸の表側易切断線２７ａと、下に凸の表側易切断線２７ｂとが形成されている。裏側易切断線２８は直線で設けられている。
【００４８】
表側易切断線２７の表側易切断線２７ａと表側易切断線２７ｂ、および、裏側易切断線２８のそれぞれの左右の端部は、左サイドシール部３、および、右サイドシール部４で交わっている。
【００４９】
表側易切断線２７ａは、サイドシール部３、４にある両端部側では、くの字形の小ハーフカット線と逆くの字形の小ハーフカット線が交互に組み合わされて複数並んで易切断線２７ｃを形成していて、引き裂いて破断するときに、表側易切断線２７ａから外れないように、切断を誘導する形状になっている。
【００５０】
表側易切断線２７ａのくの字形の小ハーフカット線と逆くの字形の小ハーフカット線を交互に組み合わせた易切断線２７ｃでは、くの字形小ハーフカット線ではじめ外に向かった切断線が、折れ曲がったくの字形で内側に向かわせ、次の逆くの字で受けられ、逆くの
字でも同様に、折れ曲がったくの字形で内側に向かわせ、この繰り返しにより、表側易切断線２７ａから外れないようにしている。
【００５１】
表側易切断線２７ａの中央部分は一本のハーフカット線からなる易切断線２７ｄが設けられていて、更にその中央部分はなだらかな曲線状になっていて、両端部分は中央部分より急な曲線になっていて、易切断線２７ｃからの切断を受けられるように曲線になっている。
【００５２】
表側易切断線２７ｂは、同様に、サイドシール部３、４にある両端部側では、くの字形の小ハーフカット線と逆くの字形の小ハーフカット線が交互に組み合わされて複数並んで易切断線２７ｅを形成していて、引き裂いて破断するときに、表側易切断線２７ｂから外れないように、切断を誘導する形状になっている。
【００５３】
表側易切断線２７ｂのくの字形の小ハーフカット線と逆くの字形の小ハーフカット線が交互に組み合わされて複数並んで形成された易切断線２７ｅでは、くの字形小ハーフカット線ではじめ外に向かった切断線が、折れ曲がったくの字形で内側に向かわせ、次の逆くの字で受けられ、逆くの字でも同様に、折れ曲がったくの字形で内側に向かわせ、この繰り返しにより、表側易切断線２７ｂから外れないようにしている。
【００５４】
表側易切断線２７ｂの中央部分は一本のハーフカット線からなる易切断線２７ｆからなり、更にその中央部分はなだらかな曲線状になっていて、両端部分は中央部分より急な曲線になっていて、易切断線２７ｃからの切断を受けられるように曲線になっている。
【００５５】
また、左サイドシール部３、および、右サイドシール部４の外端縁から引き裂き開始部９が易切断線２７、２８の左右両端に設けられている。引き裂き開始部９は本実施形態ではＶノッチで設けられている。
【００５６】
以上のように、本実施形態の包装袋３００は、開封したときに、開封予定線から、切断した開封線が外れることなく、開封線が表裏のフィルムで同一位置にならず、指で摘みやすく、口開きが容易にできる。
【００５７】
＜第４の実施形態＞
以下、本発明を実施するための第４の実施形態につき説明する。
図４は、本発明の包装袋の第４の実施形態を模式的に正面で示した説明図である。
【００５８】
第４の実施形態の包装袋４００は、図４のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００５９】
そして、天シール部５の近傍に開封するための切断を誘導する易切断線を設けてある。易切断線は、表フィルム１と裏フィルム２のそれぞれに、形の異なる表側易切断線３７と裏側易切断線３８とで設け、表側易切断線３７は、上に凸の表側易切断線３７ａと、下に凸の表側易切断線３７ｂとが形成されている。裏側易切断線３８は直線で設けられている。
【００６０】
表側易切断線３７の表側易切断線３７ａと表側易切断線３７ｂ、および、裏側易切断線３８のそれぞれの左右の端部は、左サイドシール部３、および、右サイドシール部４で交わっている。
【００６１】
表側易切断線３７ａは、サイドシール部３、４にある両端部側では、ハの字形の小ハーフカット線が複数並んで易切断線３７ｃを形成していて、引き裂いて破断するときに、表側易切断線３７ａから外れないように、切断を誘導する形状になっている。
【００６２】
表側易切断線３７ａの複数のハの字形の小ハーフカット線からなる易切断線３７ｃでは、ハの字の下方から上方に向かった切断線は、次のハの字の開いた下方で受け止められ、上方に誘導され、これが繰り返されて、表側易切断線３７ａから外れないようにしている。
【００６３】
表側易切断線３７ａの中央部分は一本のハーフカット線からなる易切断線３７ｄからなり、更にその中央部分はなだらかな曲線状になっているが、両端部分は中央部分より急な曲線になっていて、両端部分は、易切断線３７ｃからの切断を受けられるように曲線になっている。
【００６４】
表側易切断線３７ｂは、同様に、サイドシール部３、４にある両端部側では、ハの字形の小ハーフカット線が複数並んで易切断線３７ｅを形成していて、引き裂いて破断するときに、表側易切断線３７ｂから外れないように、切断を誘導する形状になっている。
【００６５】
表側易切断線３７ｂの複数のハの字形の小ハーフカット線からなる易切断線３７ｅでは、ハの字の下方から上方に向かった切断線は、次のハの字の開いた下方で受け止められ、上方に誘導され、これが繰り返されて、表側易切断線３７ｂから外れないようにしている。
【００６６】
表側易切断線３７ｂの中央部分は一本のハーフカット線からなる易切断線３７ｆからなり、更にその中央部分はなだらかな曲線状になっているが、両端部分は中央部分より急な曲線になっていて、両端部分は、易切断線３７ｅからの切断を受けられるように曲線になっている。
【００６７】
また、左サイドシール部３、および、右サイドシール部４の外端縁から引き裂き開始部９が易切断線３７、３８の左右両端に設けられている。引き裂き開始部９は本実施形態ではＶノッチで設けられている。
【００６８】
以上のように、本実施形態の包装袋４００は、開封したときに、開封予定線から、切断した開封線が外れることなく、開封線が表裏のフィルムで同一位置にならず、指で摘みやすく、口開きが容易にできる。
【００６９】
＜第５の実施形態＞
以下、本発明を実施するための第５の実施形態につき説明する。
図５は、本発明の包装袋の第５の実施形態を模式的に正面で示した説明図である。
【００７０】
第５の実施形態の包装袋５００は、図５のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００７１】
そして、天シール部５の近傍に開封するための切断を誘導する易切断線を設けてある。易切断線は、表フィルム１と裏フィルム２のそれぞれに、形の異なる表側易切断線４７と裏側易切断線４８とで設け、表側易切断線４７は、上に凸の表側易切断線４７ａと、下に凸の表側易切断線４７ｂとが形成されている。裏側易切断線４８は直線で設けられている。
【００７２】
表側易切断線４７の表側易切断線４７ａと表側易切断線４７ｂ、および、裏側易切断線４８のそれぞれの左右の端部は、左サイドシール部３、および、右サイドシール部４で交わっている。
【００７３】
表側易切断線４７ａは、サイドシール部３、４にある両端部側では、ハの字形の小ハーフカット線が複数並んで易切断線４７ｃを形成していて、引き裂いて破断するときに、表側易切断線４７ａから外れないように、切断を誘導する形状になっている。
【００７４】
表側易切断線４７ａの複数のハの字形の小ハーフカット線からなる易切断線４７ｃでは、ハの字の下方から上方に向かった切断線は、次のハの字の開いた下方で受け止められ、上方に誘導され、これが繰り返されて、表側易切断線４７ａから外れないようにしている。
【００７５】
表側易切断線４７ａの中央部分は一本のハーフカット線からなる易切断線４７ｄからなり、易切断線４７ｄは直線状になっていて、易切断線４７ｃからの切断を受ける位置に設けられている。
【００７６】
表側易切断線４７ｂは、同様に、サイドシール部３、４にある両端部側では、ハの字形の小ハーフカット線が複数並んで易切断線４７ｅを形成していて、引き裂いて破断するときに、表側易切断線４７ｂから外れないように、切断を誘導する形状になっている。
【００７７】
表側易切断線４７ｂの複数のハの字形の小ハーフカット線からなる易切断線４７ｅでは、ハの字の下方から上方に向かった切断線は、次のハの字の開いた下方で受け止められ、上方に誘導され、これが繰り返されて、表側易切断線４７ｂから外れないようにしている。
【００７８】
表側易切断線４７ｂの中央部分は一本のハーフカット線からなる易切断線４７ｆからなり、易切断線４７ｆは直線状になっていて、易切断線４７ｅからの切断を受ける位置に設けられている。
【００７９】
また、左サイドシール部３、および、右サイドシール部４の外端縁から引き裂き開始部９が易切断線４７、４８の左右両端に設けられている。引き裂き開始部９は本実施形態ではＶノッチで設けられている。
【００８０】
以上のように、本実施形態の包装袋５００は、開封したときに、開封予定線から、切断した開封線が外れることなく、開封線が表裏のフィルムで同一位置にならず、指で摘みやすく、口開きが容易にできる。
【００８１】
＜第６の実施形態＞
以下、本発明を実施するための第６の実施形態につき説明する。
図６は、本発明の包装袋の第６の実施形態を模式的に正面で示した説明図である。
【００８２】
第６の実施形態の包装袋６００は、図６のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００８３】
そして、天シール部５の近傍に開封するための切断を誘導する易切断線を設けてある。易切断線は、表フィルム１と裏フィルム２のそれぞれに、形の異なる表側易切断線５７と
裏側易切断線５８とで設け、表側易切断線５７は、上に凸の表側易切断線５７ａと、下に凸の表側易切断線５７ｂとが形成されている。裏側易切断線５８は直線で設けられている。
【００８４】
表側易切断線５７の表側易切断線５７ａと表側易切断線５７ｂ、および、裏側易切断線５８のそれぞれの左右の端部は、左サイドシール部３、および、右サイドシール部４で交わっている。
【００８５】
表側易切断線５７ａは、くの字形の小ハーフカット線と逆くの字形の小ハーフカット線が交互に組み合わされて複数並んで形成していて、引き裂いて破断するときに、切断を誘導する形状になっていて、切断が表側易切断線５７ａから外れないようになっている。
【００８６】
表側易切断線５７ａでは、くの字形小ハーフカット線ではじめ外に向かった切断線が、折れ曲がったくの字形で内側に向かわせ、次の逆くの字で受けられ、逆くの字でも同様に、折れ曲がったくの字形で内側に向かわせ、この繰り返しにより、表側易切断線５７ａから外れないようにしている。
【００８７】
表側易切断線５７ｂは、同様に、くの字形の小ハーフカット線と逆くの字形の小ハーフカット線が交互に組み合わされて複数並んで形成していて、引き裂いて破断するときに、切断を誘導する形状になっていて、切断が表側易切断線５７ｂから外れないようになっている。
【００８８】
表側易切断線５７ｂでは、くの字形小ハーフカット線ではじめ外に向かった切断線が、折れ曲がったくの字形で内側に向かわせ、次の逆くの字で受けられ、逆くの字でも同様に、折れ曲がったくの字形で内側に向かわせ、この繰り返しにより表側易切断線４７ｂから外れないようにしている。
【００８９】
表側易切断線５７ａと表側易切断線５７ｂは、左サイドシール部３から右サイドシール部４まで、くの字形の小ハーフカット線と逆くの字形の小ハーフカット線が交互に組み合わされて複数線状に並んで形成されている。
【００９０】
また、左サイドシール部３、および、右サイドシール部４の外端縁から引き裂き開始部９が易切断線５７、５８の左右両端に設けられている。引き裂き開始部９は本実施形態では横方向の短い直線からなる傷加工で設けられている。
【００９１】
以上のように、本実施形態の包装袋６００は、開封したときに、開封予定線から、切断した開封線が外れることなく、開封線が表裏のフィルムで同一位置にならず、指で摘みやすく、口開きが容易にできる。
【００９２】
図７は、本発明の包装袋に用いる積層体の一例を模式的に断面で示した説明図である。本発明の包装袋の表フィルム１および裏フィルム２は、図７のように、基材層１１とシーラント層１２とを貼り合わせた積層フィルム１０からなっている。基材層１１やシーラント層１２は、更に積層された多層になっていてもよい。
【００９３】
基材層１１には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００９４】
また、金属や無機物を蒸着した蒸着フィルムを、基材層１１として用いることもできる。また、これらを組み合わせて、基材層１１を多層にして設けても良い。さらには、アルミ箔などの金属箔も、多層の基材フィルムの１層として設けることもできる。
【００９５】
シーラント層１２には、熱溶融性樹脂が用いられる。ポリプロピレンや、低密度ポリエチレン、直鎖状低密度ポリエチレン、あるいは、酸変性ポリエチレンなどが用いられる。また、シーラント層１２に多層の共押し出しフィルムを用いても良い。多層の共押し出しフィルムのシーラント層１２としては、低密度ポリエチレンや高密度ポリエチレンを中間層として、両面に直鎖状低密度ポリエチレンの層を設けたものが好ましく用いられる。
【００９６】
シーラント層１２の厚さは、内容物の量によって、調整されるものであるが、８０μｍから２００μｍの厚さが好ましく、より好ましくは、１００μｍから１５０μｍが好ましく使用できる。
【００９７】
また、絵柄印刷層を基材層１１の裏面などに設けることができる。また、多層の基材層１１の場合は、基材層１１の最外層のフィルムに絵柄印刷層を設けることが好ましい。絵柄印刷層を設ける印刷方式は、特に限定するものではないが、通常、グラビア印刷、あるいは、フレキソ印刷が用いられる。
【００９８】
易切断線はハーフカット線で設けることができる。ハーフカット線１３は、ロール状などの金属刃を用いて、図７（Ａ）のように、表側から基材層１１に入れることができる。この場合、基材層１１の途中まで刃が入っていても、基材層１１を越えて、シーラント層１２の途中まで刃が入っていてもよい。
【００９９】
また、ハーフカット線１３を基材層１１側から照射するレーザー加工で設けることができる。用いるレーザーには炭酸ガスレーザーが好ましく用いられる。ハーフカット線をレーザー加工で設ける場合では、多層の基材層１１の最外層には設けないようにして、図７（Ｂ）のように、基材層１１の内側層に設けることもできる。
【０１００】
本発明の包装袋は、説明した各実施形態では４方シール袋であったが、これに限られるものではなく、スタンディングパウチや、天部あるいは地部を折り返した３方シール袋などでもかまわない。左右のサイドシール部の設けられた袋であればよい。
【符号の説明】
【０１０１】
１００、２００、３００、４００、５００、６００・・・包装袋
１・・・表フィルム
２・・・裏フィルム
３・・・左サイドシール部
４・・・右サイドシール部
５・・・天シール部
６・・・底シール部
７、７ａ、７ｂ、１７、１７ａ、１７ｂ、２７、２７ａ、２７ｂ、３７、３７ａ、３７ｂ、４７、４７ａ、４７ｂ、５７、５７ａ、５７ｂ・・・表側易切断線
７ｃ、７ｄ、７ｅ、７ｆ、１７ｃ、１７ｄ、１７ｅ、１７ｆ、２７ｃ、２７ｄ、２７ｅ、２７ｆ、３７ｃ、３７ｄ、３７ｅ、３７ｆ、４７ｃ、４７ｄ、４７ｅ、４７ｆ・・・易切断線
８、１８、２８、３８、４８、５８・・・裏側易切断線
９・・・引き裂き開始部
１０・・・積層フィルム
１１・・・基材層
１２・・・シーラント層
１３・・・ハーフカット線
【図１】
2016094227.tif 000003
【図２】
2016094227.tif 000004
【図３】
2016094227.tif 000005
【図４】
2016094227.tif 000006
【図５】
2016094227.tif 000007
【図６】
2016094227.tif 000008
【図７】
2016094227.tif 000009